(57)【要約】【課題】地域性の有る飲食施設の情報を提供することが可能な飲食施設案内システム、飲食施設案内装置、飲食施設案内方法、コンピュータプログラムを提供する。【解決手段】飲食施設の検索を受け付ける入力操作部１２と、現在位置を特定する現在位置特定部１６１と、現在位置特定部１６１で特定された位置の地名を判断する地名判断部１６３を備える。また、入力操作部１２で飲食施設の検索指示が受け付けられた際に、地名判断部１６３が判断した地名または前記地名に関連する関連名称を含む名称の飲食施設を検索する検索処理部１６４と、検索処理部１６４で検索した飲食施設を表示部１３に表示させる表示制御部１８を備える。【選択図】      図１
2019101839.tif 000002
【特許請求の範囲】
【請求項１】
ユーザ端末と、前記ユーザ端末と通信が可能なサーバ装置とを備え、前記ユーザ端末に飲食施設情報を提供する飲食施設案内システムにおいて、
前記ユーザ端末は、
飲食施設の検索指示を受け付ける入力操作部と、
表示部に情報を表示させる表示制御部と、
を備え、
前記ユーザ端末、及び前記サーバ装置のいずれかには、
前記ユーザ端末の位置、或いは所望の設定位置を特定する位置特定部と、
前記位置特定部で特定された位置の地名を判断する地名判断部と、
飲食施設のデータを記憶する施設データ記憶部と、
前記入力操作部で飲食施設の検索操作が入力された際に、前記地名判断部が判断した地名または前記地名に関連する関連名称を含む名称の飲食施設を検索する検索処理部と、
を備え、
前記表示制御部は、前記検索処理部で検索した飲食施設を、前記表示部に表示させること
を特徴とする飲食施設案内システム。
【請求項２】
前記ユーザ端末、及びサーバ装置のいずれかは、
前記地名と、該地名に関連する関連名称を関連付けて記憶する関連名称記憶部を更に備え、
前記検索処理部は、前記地名判断部が判断した地名を含む名称の飲食施設、及び、前記地名の関連名称を含む名称の飲食施設を検索すること
を特徴とする請求項１に記載の飲食施設案内システム。
【請求項３】
前記表示制御部は、前記関連名称を含む飲食施設を、前記地名を含む飲食施設よりも認識し易い態様で表示させること
を特徴とする請求項２に記載の飲食施設案内システム。
【請求項４】
前記検索処理部は、前記地名を含む名称の飲食施設よりも、該地名の関連名称を含む名称の飲食施設を広い範囲で検索すること
を特徴とする請求項２または３に記載の飲食施設案内システム。
【請求項５】
前記関連名称は、前記地名の旧地名であること
を特徴とする請求項１〜４のいずれか１項に記載の飲食施設案内システム。
【請求項６】
飲食施設情報を表示する飲食施設案内装置において、
飲食施設の検索を受け付ける入力操作部と、
現在位置、或いは所望の設定位置を特定する位置特定部と、
前記位置特定部で特定された位置の地名を判断する地名判断部と、
飲食施設のデータを取得する施設データ取得部と、
前記入力操作部で飲食施設の検索操作が入力された際に、前記地名判断部が判断した地名または前記地名に関連する関連名称を含む名称の飲食施設を検索する検索処理部と、
前記検索処理部で検索した飲食施設を表示部に表示させる表示制御部と、
を備えることを特徴とする飲食施設案内装置。
【請求項７】
現在位置、或いは所望の設定位置を特定する位置特定ステップと、
前記位置特定ステップで特定した位置の地名を判断する地名判断ステップと、
ユーザによる飲食施設の検索指示を受け付ける検索指示取得ステップと、
ユーザによる飲食施設の検索操作が取得された際に、前記特定した位置の地名を含む名称の飲食施設、または前記地名に関連する関連名称を含む名称の飲食施設を検索する検索ステップと、
前記検索ステップで検索した飲食施設を表示部に表示させる表示ステップと、
を備えることを特徴とする飲食施設案内方法。
【請求項８】
現在位置、或いは所望の設定位置を特定する位置特定ステップと、
前記位置特定ステップで特定した位置の地名を判断する地名判断ステップと、
ユーザによる飲食施設の検索指示を受け付ける検索指示取得ステップと、
ユーザによる飲食施設の検索操作が取得された際に、前記特定した位置の地名を含む名称の飲食施設、または前記地名に関連する関連名称を含む名称の飲食施設を検索する検索ステップと、
前記検索ステップで検索した飲食施設を表示部に表示させる表示ステップと、
をコンピュータに実行させることを特徴とするコンピュータプログラム。
【発明の詳細な説明】
【技術分野】
【０００１】
本発明は、飲食施設に関する情報を提供する飲食施設案内システム、飲食施設案内装置、飲食施設案内方法、及びコンピュータプログラムに係り、特に、地名に関連する名称の飲食施設を表示する技術に関する。
【背景技術】
【０００２】
例えば、車両に搭載されるナビゲーション装置では、目的地までの経路案内の画像を表示すると共に、経路近隣に存在するレストラン等の飲食施設を表示することにより、乗員の利便性を高めることが行われている。
【０００３】
このような飲食施設を表示するナビゲーション装置の従来例として、例えば、特許文献１に記載されたものが知られている。特許文献１では、地域に関する名産料理店を検索して表示することが開示されている。
【先行技術文献】
【特許文献】
【０００４】
【特許文献１】特開２０１０−３２５１４号公報
【発明の概要】
【発明が解決しようとする課題】
【０００５】
しかしながら、郷土料理や名産料理店等の地域性の有る飲食施設を検索する場合、検索対象の施設が観光施設として予め対応付けられているデータベースを参照しており、古くから経営されている飲食施設や個人経営の飲食施設などでは、地域性の有る飲食施設のデータベースに登録されていない場合が有る。
【０００６】
本発明は、このような従来の課題を解決するためになされたものであり、その目的とするところは、地域性の有る飲食施設を提供することが可能な飲食施設案内システム、飲食施設案内装置、飲食施設案内方法、及びコンピュータプログラムを提供することにある。
【課題を解決するための手段】
【０００７】
上記目的を達成するため、本発明に係る飲食施設案内システムは、ユーザ端末と、前記ユーザ端末と通信が可能なサーバ装置とを備え、前記ユーザ端末に飲食施設情報を提供する飲食施設案内システムにおいて、前記ユーザ端末は、飲食施設の検索指示を受け付ける入力操作部と、前記サーバ装置から提供された飲食施設情報を表示部に表示させる表示制御部と、を備え、前記ユーザ端末、及び前記サーバ装置のいずれかには、前記ユーザ端末の位置、或いは所望の設定位置を特定する位置特定部と、飲食施設のデータを記憶する施設データ記憶部と、前記位置特定部で特定された位置の地名を判断する地名判断部と、前記入力操作部で飲食施設の検索操作が入力された際に、前記地名判断部が判断した地名または前記地名に関連する関連名称を含む名称の飲食施設を検索する検索処理部と、を備え、前記表示制御部は、前記検索処理部で検索した飲食施設を、前記表示部に表示させることを特徴とする。
【０００８】
本発明に係る飲食施設案内装置は、飲食施設情報を表示する飲食施設案内装置において、飲食施設の検索を受け付ける入力操作部と、現在位置、或いは所望の設定位置を特定する位置特定部と、飲食施設のデータを取得する施設データ取得部と、前記位置特定部で特定された位置の地名を判断する地名判断部と、前記入力操作部で飲食施設の検索操作が入力された際に、前記地名判断部が判断した地名または前記地名に関連する関連名称を含む名称の飲食施設を検索する検索処理部と、前記検索処理部で検索した飲食施設を表示部に表示させる表示制御部と、を備えることを特徴とする。
【０００９】
本発明に係る飲食施設案内方法は、現在位置、或いは所望の設定位置を特定する位置特定ステップと、前記位置特定ステップで特定した位置の地名を判断する地名判断ステップと、ユーザによる飲食施設の検索操作を取得する検索操作取得ステップと、ユーザによる飲食施設の検索操作が取得された際に、前記特定した位置の地名を含む名称の飲食施設、または前記地名に関連する関連名称を含む名称の飲食施設を検索する検索ステップと、前記検索ステップで検索した飲食施設を表示部に表示させる表示ステップと、を備えることを特徴とする。
【００１０】
本発明に係るコンピュータプログラムは、現在位置、或いは所望の設定位置を特定する位置特定ステップと、前記位置特定ステップで特定した位置の地名を判断する地名判断ステップと、ユーザによる飲食施設の検索操作を取得する検索操作取得ステップと、ユーザによる飲食施設の検索操作が取得された際に、前記特定した位置の地名を含む名称の飲食施設、または前記地名に関連する関連名称を含む名称の飲食施設を検索する検索ステップと、前記検索ステップで検索した飲食施設を表示部に表示させる表示ステップと、をコンピュータに実行させることを特徴とする。
【発明の効果】
【００１１】
本発明によれば、現在地、或いは任意の設定位置の土地に所縁のある郷土料理、名産料理を提供する飲食施設を表示することができる。
【図面の簡単な説明】
【００１２】
【図１】図１は、本発明の第１、第２実施形態に係る飲食施設案内システムの構成を示すブロック図である。
【図２】図２は、本発明の第１実施形態に係る飲食施設案内システムの処理手順を示すフローチャートである。
【図３】図３は、本発明の第１実施形態に係る飲食施設案内システムの、入力操作部の表示例を示す説明図である。
【図４】図４は、経路案内用の地図に地名が付された飲食施設を表示する例を示す説明図である。
【図５】図５は、経路案内用の地図に旧地名が付された飲食施設を表示する例を示す説明図である。
【図６】図６は、本発明の第２実施形態に係る飲食施設案内システムの処理手順を示すフローチャートである。
【図７】図７は、経路案内用の地図に地名、及び旧地名が付された飲食施設を表示する例を示す説明図である。
【図８】図８は、経路案内用の地図に地名、及び旧地名が付された飲食施設を表示する例を示す説明図であり、旧地名を大きいサイズで表示する例を示す。
【図９】図９は、本発明の第２実施形態の第２変形例に係る飲食施設案内システムの処理手順を示すフローチャートである。
【図１０】図１０は、経路案内用の地図中の、第１の範囲Ｑ１内に地名、及び旧地名が付された飲食施設を表示し、第２の範囲Ｑ２内に旧地名が付された飲食施設を表示する例を示す説明図である。
【図１１】図１１は、本発明の第３実施形態に係る飲食施設案内装置としてのナビゲーション装置の構成を示すブロック図である。
【発明を実施するための形態】
【００１３】
以下、本発明の実施形態を図面に基づいて説明する。
[第１実施形態の説明]
図１は、本発明の第１実施形態に係る飲食施設案内システムの構成を示すブロック図である。なお、本発明で示す「飲食施設」とは、レストラン、食事処、居酒屋など、食事、酒類を提供する施設を指す。
【００１４】
図１に示すように、本実施形態に係る飲食施設案内システム１００は、車両に搭載されるか或いはユーザが携帯するユーザ端末１と、該ユーザ端末１との間でネットワーク３を介して通信が可能であるサーバ装置２を備えている。
【００１５】
サーバ装置２は、飲食施設情報を提供するサービス事業者などが管理するサーバであり、設置形態、設置台数等は任意であり、機能が分散していてもよい。サーバ装置２は、ネットワーク３を介してユーザ端末１と通信する通信部２１と、データベース２２を備えている。データベース２２も、単一のサーバ装置２が記憶しているデータベースに限らず、分散していてもよい。データベース２２は、地図データベース２２１と、施設データベース２２２と、関連名称データベース２２３（関連名称記憶部）を備えている。地図データベース２２１は、経路案内等に用いる地図データを記憶している。施設データベース２２２は、飲食施設、商業施設、行楽施設、を含む各種の施設のデータを、地図データに関連付けて記憶している。関連名称データベース２２３は、地名と、該地名に関連する関連名称を関連付けて記憶している。関連名称とは、旧地名や方言による通称等の、その土地に関連する所縁の深い名称を指す。
【００１６】
車両に搭載されるユーザ端末１の例としては、車両の走行経路を案内するナビゲーション装置を挙げることができ、乗員が携帯するユーザ端末１の例として、スマートフォン、タブレット端末を挙げることができる。また、ユーザ端末１は、パーソナルコンピュータなどの情報端末であってもよい。以下の実施形態では、ユーザ端末１がナビゲーション装置である場合について説明する。
ユーザ端末１は、ＧＰＳ信号を受信するＧＰＳ受信部１１と、入力操作部１２と、表示部１３と、制御部１４、及び通信部１５を備えている。
【００１７】
入力操作部１２は、車両の乗員等のユーザによる操作入力を行うものであり、各種スイッチ、タッチパネル、音声入力装置等を挙げることができる。表示部１３は、例えば液晶ディスプレイ等であり、飲食施設を表示する。通信部１５は、ネットワーク３を介してサーバ装置２との間での通信を行う。なお、入力操作部１２と表示部１３を兼用して、タッチパネルとすることも可能である。タッチパネルとは、液晶パネル等の表示装置とタッチパッド等の位置入力装置を組み合わせた電子部品である。
【００１８】
制御部１４は、案内経路を探索するナビゲーション処理部１６と、入力操作受付部１７と、表示制御部１８を備えている。
ナビゲーション処理部１６は、現在位置特定部１６１と、設定位置特定部１６２と、地名判断部１６３と、検索処理部１６４を備えている。
現在位置特定部１６１は、ＧＰＳ受信部１１で取得されるＧＰＳ情報に基づき、車両の現在位置を特定する。
【００１９】
設定位置特定部１６２は、入力操作部１２にて所望の位置が設定された際に、この設定位置を特定する。例えば、車両の現在位置ではなく、目的地周辺の情報を知りたいときに、該目的地の情報が入力されると、この目的地を設定位置として特定する。即ち、現在位置特定部１６１及び設定位置特定部１６２は、ユーザ端末の位置或いは所望の設定位置を特定する「位置特定部」としての機能を備えている。
【００２０】
地名判断部１６３は、現在位置特定部１６１で特定された車両の現在地、或いは設定位置特定部１６２で特定された特定位置の情報に基づき、これらの位置の地名を判断する。例えば、地図データベース２２１に記憶されている地図データと、ＧＰＳ受信部１１で取得される位置データに基づいて車両の現在位置を判断する。一例として、現在地が「千葉県鴨川市」である場合には、この地名を認識する。
【００２１】
更に、地名判断部１６３は、前述した関連名称データベース２２３に登録されている関連名称を検索する。例えば、千葉県の「鴨川市」の場合は「安房」等を挙げることができる。その他、千葉県であれば「下総」、「上総」、静岡県であれば「駿河」、「伊豆」、山梨県であれば「甲斐」等が検索される。
【００２２】
検索処理部１６４は、地名判断部１６３が判断した地名を含む名称の飲食施設、及び、この地名の関連名称を含む名称の飲食施設を検索する。具体的には、施設データベース２２２を検索して、対象となる飲食施設の名称、及び地図上の位置を認識する。例えば、特定された地名が「鴨川市」の場合には「鴨川食堂」、「鴨川庵」、「安房かまど飯」のように、地名或いは関連名称が付された飲食施設を検索し、更に、その位置を検索する。
【００２３】
入力操作受付部１７は、入力操作部１２で入力された操作指示を受け付ける。例えば、入力操作部１２より、現在地の郷土料理の検索指令が入力された場合には、この指令をナビゲーション処理部１６に出力する。
【００２４】
表示制御部１８は、表示部１３に表示する画像を生成して表示部１３に出力する。例えば、現在地周辺の地図画像、及び食事施設の位置を示す画像を生成して表示部１３に出力する。
なお、本実施形態に係る制御部１４は、ハードウエア的には、任意のコンピュータのＣＰＵ、メモリ、その他のＬＳＩで実現でき、ソフトウエア的にはメモリにロードされたプログラムなどによって実現される。ここではそれらの連携によって実現される機能ブロックを描いている。従って、これらの機能ブロックがハードウエアのみ、ソフトウエアのみ、またはそれらの組合せによっていろいろな形で実現できることは、当業者には理解されるところである。
【００２５】
［第１実施形態の作用の説明］
次に、上述のように構成された飲食施設案内システム１００の作用について説明する。図２は、飲食施設案内システム１００を用いて車両の現在位置周辺に存在する飲食施設を検索する際の処理手順を示すフローチャートである。
初期的には、ＧＰＳ受信部１１よりＧＰＳ信号を取得し、更に、現在位置特定部１６１により、車両の現在位置を特定する。更に、ナビゲーション処理部１６により、ネットワーク３を介して地図データベース２２１から車両周辺の地図データを取得し、またはユーザ端末１が記憶している地図データなど参照可能な地図データを取得し、表示部１３に地図を表示する。従って、車両の乗員は、表示部１３を見ることにより、車両周辺の地図を認識することができる。
【００２６】
図２のステップＳ１１において、入力操作受付部１７は、「郷土料理」の検索操作が入力されたか否かを判断する。例えば、入力操作部１２がタッチパネルの場合には、図３に示すように、食事施設の検索を行うことが指示された後、入力操作部１２の画面上に食事市施設のジャンルを選択する画面例として、「ファストフード」のアイコンＡ１、「ファミリーレストラン」のアイコンＡ２、「郷土料理」のアイコンＡ３が表示される。そして、「郷土料理」のアイコンＡ３が選択されたか否かを判断する。「郷土料理」以外のアイコンが選択された場合（ステップＳ１１でＮＯ）は、それぞれに対応するナビゲーション処理が行われる。従来より行われている処理であり、詳細な説明を省略する。
【００２７】
「郷土料理」のアイコンＡ３が選択された場合には（ステップＳ１１でＹＥＳ）、ステップＳ１２において、地名判断部１６３は、車両の現在位置の地名を判断する。
ステップＳ１３において、検索処理部１６４は、ネットワーク３を介してデータベース２２の施設データベース２２２にアクセスし、地名判断部１６３で検索された地名が付された飲食施設を検索する。例えば、車両の現在位置の地名が「鴨川市」である場合には、「鴨川」が付された飲食施設を検索する。
【００２８】
ステップＳ１４において、検索処理部１６４は、上記の地名が付された飲食施設が検索されたか否かを判断し、検索された場合には（ステップＳ１４でＹＥＳ）、ステップＳ１５において表示制御部１８は、表示部１３に表示されている地図上に、検索された飲食施設を表示する。その結果、例えば、図４に示すように、車両のアイコンＰ１が表示されている地図画像上に「鴨川○○」等の飲食施設の名称が表示される。車両の乗員は、この表示を見ることにより、その土地に所縁の深い飲食店を認識することができる。
【００２９】
一方、飲食施設が検索されない場合には（ステップＳ１４でＮＯ）、ステップＳ１６において、表示制御部１８は、表示部１３に「検索結果無し」を表示し、検索開始メニューに戻す。
【００３０】
このようにして、第１実施形態に係る飲食施設案内システム１００では、車両の乗員が入力操作部１２にて郷土料理を検索するアイコンＡ３（図３参照）を選択すると、現在の地名に関連する名称の飲食施設が検索される。そして、検索された飲食施設のうち、車両の現在位置周辺に存在する飲食施設が地図上に表示される。
【００３１】
従って、車両の乗員は、現在の土地に所縁の深い郷土料理、名産料理を提供する飲食施設を認識することができる。即ち、その土地の地名が付された飲食店は、地域に密着した伝統的な郷土料理、名産料理を提供することが多く、このような飲食施設を容易に検索することが可能になる。なお、入力操作部１２に表示するアイコンの名称として「郷土料理」を例に挙げたが、その他の名称としてもよい。
【００３２】
また、第１実施形態では、車両の現在位置を特定し、現在位置の地名が付された飲食施設を検索する例について説明したが、図１に示す設定位置特定部１６２で位置が特定された場合（例えば、目的地が特定された場合）に、この土地の地名が付された飲食施設を検索するようにしてもよい。
【００３３】
また、第１実施形態では、ユーザ端末１に制御部１４を設け、サーバ装置２にデータベース２２を設ける構成としたが、制御部１４をサーバ装置２に設け、ネットワーク３を経由した通信により各処理を実施してもよい。また、データベース２２をユーザ端末１に設ける構成としても良い。即ち、ＧＰＳ受信部１１、入力操作部１２、及び表示部１３のみがユーザ端末１に設けられていれば良く、それ以外の構成要素は、ユーザ端末１、及びサーバ装置２のいずれかに設ける構成とすることができる。
【００３４】
［第１実施形態の変形例の説明］
次に、第１実施形態の変形例について説明する。第１実施形態では、地名判断部１６３にて車両の現在地の地名を判断したが、現在地の地名と関連する関連名称を検索し、関連名称が付された飲食施設を表示部１３に表示するようにしてもよい。関連名称は、例えば旧地名を挙げることができる。例えば、車両の現在地の地名が「鴨川」である場合には、その旧地名である「安房」が付された飲食施設を検索し、その検索結果を表示部１３に表示する。その結果、例えば図５に示すように、車両の現在位置周辺に存在する旧地名が付された飲食施設を表示することができ、地域に古くから存在する飲食施設を認識することが可能となる。
【００３５】
［第２実施形態の説明］
次に、本発明の第２実施形態について説明する。第２実施形態に係る飲食施設案内システムでは、車両の現在地、或いは目的地等の設定位置が特定された際に、この特定位置の地名に加え、該地名の関連名称が付された飲食施設を検索して表示する点で前述した第１実施形態と相違する。装置構成は、図１と同様であるので構成説明を省略する。
【００３６】
以下、図６に示すフローチャートを参照して、第２実施形態に係る飲食施設案内システムの処理手順について説明する。ステップＳ３１は、図２に示したステップＳ１１の処理と同様であるので説明を省略する。
【００３７】
ステップＳ３１の処理で図３に示す「郷土料理」のアイコンＡ３が選択された場合には（ステップＳ３１でＹＥＳ）、ステップＳ３２において、地名判断部１６３は、車両の現在位置の地名を認識する。更に、関連名称データベース２２３を検索し、現在位置の地名に関連する関連名称を検索する。ここでは、関連名称の一例として旧地名を挙げて説明する。
【００３８】
ステップＳ３３において、検索処理部１６４は、ネットワーク３を介してデータベース２２の施設データベース２２２にアクセスし、地名判断部１６３で検索された地名、或いはその旧地名が付された飲食施設を検索する。例えば、車両の現在位置の地名が「鴨川」である場合には、「鴨川」、及びこの旧地名である「安房」が付された飲食施設を検索する。
【００３９】
ステップＳ３４において、検索処理部１６４は、上記の地名或いは旧地名が付された飲食施設が検索されたか否かを判断し、検索された場合には（ステップＳ３４でＹＥＳ）、ステップＳ３５において表示制御部１８は、表示部１３に表示されている地図上に、検索された飲食施設を表示する。その結果、例えば、図７に示すように、車両Ｐ１のアイコンが表示されている地図画像上「鴨川○○」、「安房○○」等の飲食施設が表示される。
【００４０】
一方、飲食施設が検索されない場合には（ステップＳ３４でＮＯ）、ステップＳ３６において、表示制御部１８は、表示部１３に「検索結果無し」を表示し、検索開始メニューに戻す。
【００４１】
このようにして、第２実施形態に係る飲食施設案内システムでは、車両の乗員が入力操作部１２にて郷土料理を検索するアイコンＡ３を選択すると、現在の地名、及びその旧地名（関連名称）が付された飲食施設が検索される。そして、検索された飲食施設のうち、車両の現在位置周辺に存在する飲食施設が地図上に表示される。
従って、前述した第１実施形態と同様に、車両の乗員は現在の土地に所縁の深い郷土料理、名産料理を提供する飲食施設を認識することができる。
【００４２】
［第２実施形態の第１変形例の説明］
次に、上述した第２実施形態の第１変形例について説明する。上述した第２実施形態では、車両の現在位置或いは設定位置の地名、及び関連名称いずれかが付された名称の飲食施設を検索して表示する例について説明した。
【００４３】
第１変形例では、特定された位置の地名、及び旧地名を地図上に表示し、更に、旧地名が地名よりも目立つように表示する。例えば、図８に示すように、旧地名が含まれる飲食施設をより大きな文字サイズ（認識し易い態様）で表示し、他の表示と区別しやすくする。こうすることにより、旧地名が付された飲食施設を他の飲食施設よりも目立たせることができるので、旧地名が付された飲食施設を認識し易くすることが可能となる。
【００４４】
即ち、旧地名が付された名称の飲食施設は、現在の地名が付された名称の飲食施設よりも、その土地に所縁の深い領域を提供する場合が多い。従って、このような飲食施設を大きく表示することにより、より郷土料理、名産料理を提供する飲食施設を検索し易くすることができる。なお、文字サイズ以外でも、文字を反転表示、網掛け表示、太文字表示等で表示することにより、目立たせるようにしてもよい。
【００４５】
［第２実施形態の第２変形例の説明］
第２変形例では、車両の現在位置、或いは設定位置から所定の閾値距離を設定し、この閾値距離の内側を第１の範囲とする。更に、閾値距離の外側を第２の範囲とする。そして、第１の範囲では、現在位置の地名、及び旧地名が付された飲食施設の双方を表示する。また、第２の範囲では、旧地名が付された飲食施設のみを表示する。以下、図９に示すフローチャートを参照して、第２変形例の処理手順について説明する。
【００４６】
ステップＳ５１の処理は、図２に示したステップＳ１１の処理と同様であるので説明を省略する。ステップＳ５２において、地名判断部１６３は、車両の現在位置の地名を認識し、更に、関連名称データベース２２３を検索し、現在位置の地名の旧地名を検索する。
【００４７】
ステップＳ５３において、検索処理部１６４は、ネットワーク３を介してデータベース２２の施設データベース２２２にアクセスし、第１の範囲において、地名判断部１６３で検索された地名及び旧地名が付された飲食施設を検索する。
【００４８】
更に、ステップＳ５４において、検索処理部１６４は、第２の範囲において、地名判断部１６３で検索された旧地名が付された飲食施設を検索する。
【００４９】
ステップＳ５５において、検索処理部１６４は、上記の地名或いは旧地名が付された飲食施設が検索されたか否かを判断し、検索された場合には（ステップＳ５５でＹＥＳ）、ステップＳ５６において表示制御部１８は、表示部１３に表示されている地図上に、検索された飲食施設を表示する。その結果、例えば、図１０に示すように、第１の範囲Ｑ１においては、地名及び旧地名が付された飲食施設が表示される。具体的には、「鴨川○○」、「安房〇〇」等の飲食施設が表示される。更に、第２の範囲Ｑ２においては、旧地名が付された飲食施設が表示される。具体的には「安房〇〇」等の飲食施設が表示される。
【００５０】
このように、第２実施形態の第２変形例では、現在位置Ｐ１から所定距離内の第１の範囲Ｑ１、及びその外側の第２の範囲Ｑ２を設定し、第１の範囲Ｑ１では地名及び旧地名が付された飲食施設を表示し、第２の範囲Ｑ２では、旧地名が付された飲食施設のみを表示する。従って、旧地名等の関連名称が付された飲食施設をより広い範囲で認識することが可能となり、郷土料理、名産料理を提供する飲食施設をより認識し易い態様で表示することが可能となる。
【００５１】
［第３実施形態の説明］
次に、本発明の第３実施形態について説明する。図１１は、第３実施形態に係る飲食施設案内装置としてのナビゲーション装置の構成を示すブロック図である。図１１に示すように、第３実施形態に係るナビゲーション装置２００は、車両において利用されるものであり、ＧＰＳ受信部１１と、入力操作部１２と、表示部１３と、制御部１４、及びデータベース２２を備えている。
【００５２】
即ち、第３実施形態に係るナビゲーション装置２００は、図１に示したユーザ端末１とサーバ装置２が有する構成要素を全て備え、これらを車両に搭載している。各構成要素は、図１に示した構成と同一であるので、同一符号を付して構成説明を省略する。図１１に示すナビゲーション装置２００において、データベース２２を外部の記憶装置とする場合は、施設データ記憶部に代えて、制御部１４の機能として施設データを取得する施設データ取得部を備える。
【００５３】
そして、第３実施形態に係るナビゲーション装置２００についても、前述した第１、第２実施形態と同様に、現在位置特定部１６１で特定される車両の現在地、或いは設定位置特定部で設定される特定位置の地名、或いは旧地名を含む飲食施設を表示部１３にて表示することができる。そのため、その土地に所縁の深い郷土料理、名産料理を提供する飲食店を乗員に認識させることが可能となる。
また、サーバ装置２との間での通信が不要となるので、車両内への設置を容易に行うことができる。
【００５４】
以上、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【００５５】
１  ユーザ端末
２  サーバ装置
３  ネットワーク
１１  ＧＰＳ受信部
１２  入力操作部
１３  表示部
１４  制御部
１５  通信部
１６  ナビゲーション処理部
１７  入力操作受付部（検索受付部）
１８  表示制御部（案内処理部）
２１  通信部
２２  データベース
１００  飲食施設案内システム
１６１  現在位置特定部
１６２  設定位置特定部
１６３  地名判断部
１６４  検索処理部
２００  ナビゲーション装置
２２１  地図データベース
２２２  施設データベース
２２３  関連名称データベース
【図１】
2019101839.tif 000003
【図２】
2019101839.tif 000004
【図３】
2019101839.tif 000005
【図４】
2019101839.tif 000006
【図５】
2019101839.tif 000007
【図６】
2019101839.tif 000008
【図７】
2019101839.tif 000009
【図８】
2019101839.tif 000010
【図９】
2019101839.tif 000011
【図１０】
2019101839.tif 000012
【図１１】
2019101839.tif 000013